(57)【要約】【課題】低コストかつ良音質な楽器を提供できるようにする。【解決手段】板厚方向に互いに間隔をあけて配される表板部４及び裏板部５と、表板部及び裏板部に繋がる側板部６と、を含む胴部２を備え、表板部、裏板部及び側板部の少なくとも一つが、樹脂製板部によって構成され、樹脂製板部のうち胴部２の内面を構成する全ての面には、複数のリブ１１，１２が設けられている楽器１を提供する。【選択図】図２
2019086546.tif 000002
【特許請求の範囲】
【請求項１】
板厚方向に互いに間隔をあけて配される表板部及び裏板部と、前記表板部及び前記裏板部に繋がる側板部と、を含む胴部を備え、
前記表板部、前記裏板部及び前記側板部の少なくとも一つが、樹脂製板部によって構成され、
前記樹脂製板部のうち前記胴部の内面を構成する全ての面には、複数のリブが設けられている楽器。
【請求項２】
複数の前記リブが、前記樹脂製板部の面全体にわたって設けられている請求項１に記載の楽器。
【請求項３】
複数の前記リブは、前記樹脂製板部の面に沿う一方向において前記樹脂製板部の面の第一端から第二端まで、互いに間隔をあけて配列される請求項１に記載の楽器。
【請求項４】
複数の前記リブは、
前記樹脂製板部の面に沿う第一方向に間隔をあけて配列される複数の第一リブと、
前記樹脂製板部の面に沿って前記第一方向に交差する第二方向に間隔をあけて配列される複数の第二リブと、
を含む請求項１に記載の楽器。
【請求項５】
前記第一方向と前記第二方向とが直交し、
前記第一リブ同士の間隔が、前記第二リブ同士の間隔よりも狭い請求項４に記載の楽器。
【請求項６】
少なくとも前記表板部が、前記樹脂製板部によって構成されている請求項１に記載の楽器。
【請求項７】
前記表板部及び前記裏板部のうち少なくとも一方の板部、及び、前記側板部が、前記樹脂製板部であり、
前記一方の板部の面に設けられた前記リブの長手方向の端部と、前記側板部の面に設けられた前記リブの長手方向の端部とが、一体に形成されている請求項１に記載の楽器。
【発明の詳細な説明】
【技術分野】
【０００１】
本発明は、楽器に関する。
【背景技術】
【０００２】
従来、アコースティックギター等のように胴部を有する楽器がある。特許文献１，２には、この種の楽器の製造コストを抑えるために、胴部の一部をプラスチックで一体に形成した楽器が開示されている。また、特許文献１，２の楽器では、胴部のプラスチック部分の剛性を高めるために、胴部の内面の一部領域にリブや補強部を形成している。
【先行技術文献】
【特許文献】
【０００３】
【特許文献１】実開昭５４−１１７２２６号公報
【特許文献２】実開平０６−０７８９９２号公報
【発明の概要】
【発明が解決しようとする課題】
【０００４】
ところで、胴部を有する楽器において、木製の板（木板部）と、プラスチック製の板（樹脂製板部）とでは、振動の周波数特性が大きく異なる。このため、胴部の一部又は全体を樹脂製板部で構成したギター等の楽器の音質（胴部の周波数特性）は、胴部全体を木板部で構成した通常の楽器と大きく異なってしまう。
【０００５】
本発明は、上述した事情に鑑みてなされたものであって、低コストかつ良音質な楽器を提供することを目的とする。
【課題を解決するための手段】
【０００６】
本発明の楽器は、板厚方向に互いに間隔をあけて配される表板部及び裏板部と、前記表板部及び前記裏板部に繋がる側板部と、を含む胴部を備え、前記表板部、前記裏板部及び前記側板部の少なくとも一つが、樹脂製板部によって構成され、前記樹脂製板部のうち前記胴部の内面を構成する全ての面には、複数のリブが設けられている。
【発明の効果】
【０００７】
本発明によれば、楽器の胴部を構成する全ての樹脂製板部に複数のリブを設けることで、胴部の周波数特性を改善できる。これにより、低コストで良音質の楽器を提供できる。
【図面の簡単な説明】
【０００８】
【図１】本発明の第一実施形態に係るギターを示す平面図である。
【図２】図１のギターの分解斜視図である。
【図３】図２の裏板部及び側板部を、裏板部の内面側から見た平面図である。
【図４】図２，３の裏板部及び側板部の要部を示す拡大斜視図である。
【図５】木製ギター及び比較例の胴部の周波数特性の一例を示すグラフである。
【図６】木製ギターの胴部及び第一実施形態のギターの胴部の周波数特性の一例を示すグラフである。
【図７】第一実施形態の胴部における裏板リブの変形例を示す斜視図である。
【図８】木製ギターの胴部及び図７の変形例の胴部の周波数特性の一例を示すグラフである。
【図９】第一実施形態の胴部における側板リブの第一変形例を示す要部拡大斜視図である。
【図１０】第一実施形態の胴部における側板リブの第二変形例を示す要部拡大斜視図である。
【図１１】本発明の第二実施形態に係るギターの胴部を構成する裏板部及び側板部を示す斜視図である。
【図１２】図１１の裏板部及び側板部を、裏板部の内面側から見た平面図である。
【図１３】本発明の第三実施形態に係るギターの表板部を内面側から見た平面図である。
【発明を実施するための形態】
【０００９】
〔第一実施形態〕
以下、図１−６を参照して本発明の第一実施形態について説明する。
図１，２に示すように、本実施形態に係る楽器は、アコースティックギター１（以下、ギター１と呼ぶ。）であり、内部に空洞を有する胴部２（ボディ）を備える。また、ギター１は、胴部２から延びる棹部３（ネック）も備える。
【００１０】
胴部２は、表板部４、裏板部５及び側板部６を含む。表板部４及び裏板部５は、それぞれ平板状に形成され、板厚方向（Ｚ軸方向）に互いに間隔をあけて配されている。板厚方向から見た表板部４及び裏板部５の平面視形状は、任意であってよい。本実施形態において、表板部４及び裏板部５の平面視形状は、一般的なアコースティックギターと同様に、周縁が湾曲したひょうたん状に形成されている。平面視した表板部４及び裏板部５の形状及び大きさは、互いに等しい。表板部４及び裏板部５の形状及び大きさは、例えば、若干異なっていてもよい、すなわち互いに概ね等しくてもよい。
【００１１】
本実施形態では、表板部４や裏板部５の板厚方向に直交する方向のうち棹部３が延びる方向を、表板部４及び裏板部５の縦方向（Ｙ軸方向）とする。また、表板部４や裏板部５の板厚方向及び縦方向に直交する方向を、表板部４及び裏板部５の横方向（Ｘ軸方向）とする。
【００１２】
側板部６は、表板部４及び裏板部５に繋がっている。側板部６は、表板部４及び裏板部５の配列方向（胴部２の厚さ方向）に延びるように、また、平面視した表板部４や裏板部５の周縁に沿って延びるように形成されている。
本実施形態の胴部２では、胴部２の内面を構成する裏板部５の面５ａ（以下、内面５ａと呼ぶ。）と、胴部２の内面を構成する側板部６の面６ａ（以下、内面６ａと呼ぶ。）とが、裏板部５と側板部６との境界部分において不連続に繋がっている。すなわち、裏板部５の内面５ａと側板部６の内面６ａとは、単一の面に形成されず、別個に形成されている。言い換えれば、裏板部５の内面５ａと側板部６の内面６ａとは、明確に分かれている。裏板部５の内面５ａと側板部６の内面６ａとは、例えば互いに傾斜してもよいが、本実施形態では互いに直交している。
【００１３】
同様にして、胴部２の内面を構成する表板部４の面４ａ（以下、内面４ａと呼ぶ）と、側板部６の内面６ａとは、表板部４と側板部６との境界部分において不連続に繋がっている。表板部４の内面４ａと側板部６の内面６ａとは、例えば互いに傾斜してもよいが、本実施形態では互いに直交している。
すなわち、本実施形態の側板部６は、表板部４及び裏板部５に対して直交するように繋がっている。
【００１４】
本実施形態では、側板部６において、表板部４や裏板部５の周縁に沿って延びる方向を側板部６の長手方向とし、表板部４及び裏板部５の配列方向に延びる方向を側板部６の幅方向とする。また、本実施形態では、側板部６のうち棹部３との接続部分７を側板部６の長手方向における側板部６の両端（第一端、第二端）とする。例えば、接続部分７の第一辺７ａが側板部６の第一端であり、接続部分７の第二辺７ｂが側板部６の第二端であってよい。
【００１５】
本実施形態の胴部２は、胴部の主要構成が木製の板材からなる従来周知のアコースティックギター（以下、木製ギターと呼ぶ）と同じ大きさに形成されている。例えば、胴部２の縦方向の寸法は４９０ｍｍ〜５５０ｍｍであり、胴部２の横方向の寸法は３９０ｍｍ〜４５０ｍｍである。また、胴部２の厚さ寸法は、例えば８０ｍｍ〜１２０ｍｍである。ただし、胴部２の各寸法は上記した範囲に限られない。胴部２の各寸法は、上記した範囲よりも小さくてもよいし、大きくてもよい。
【００１６】
本実施形態の胴部２では、裏板部５及び側板部６が、樹脂製板部によって構成されている。樹脂製板部は、樹脂材料を板状に形成したものである。樹脂材料は、例えば天然樹脂材料であってもよいが、本実施形態では合成樹脂材料（プラスチック材料）である。合成樹脂材料としては、例えばポリスチレン（ＰＳ）やポリプロピレン（ＰＰ）、ＡＢＳ樹脂などが挙げられる。裏板部５をなす樹脂材料と側板部６をなす樹脂材料とは、例えば互いに異なってよいが、本実施形態では互いに同じである。
裏板部５や側板部６をなす樹脂製板部の板厚は、例えば、木製ギターにおける裏板や側板の板厚に対して同等以下であってよい。樹脂製板部の板厚は、例えば１ｍｍ〜３ｍｍであってよい。
【００１７】
表板部４は、例えば樹脂製板部によって構成されてよいが、本実施形態では木製ギターと同様の木製の板材（以下、木製板部と呼ぶ。）によって構成されている。表板部４は、例えば木製ギターの表板と同様に構成されてよい。
【００１８】
裏板部５と側板部６とが繋がることは、例えば裏板部５と側板部６とが別個に成形された上で接着等の任意の手法によって一体に固定されることを意味してよい。本実施形態において、裏板部５と側板部６とが繋がることは、裏板部５と側板部６とが一体に成形されていることを意味する。また、本実施形態において側板部６と表板部４とが繋がることは、側板部６と表板部４とが接着等の任意の手法によって一体に固定されることを意味する。
【００１９】
図２−４に示すように、樹脂製板部のうち胴部２の内面を構成する全ての面（以下、内面と呼ぶ。）には、樹脂製板部の内面に沿って線状に延びる複数のリブ１１，１２が設けられている。リブ１１，１２は、樹脂製板部の周波数特性を調整するものである。
リブ１１，１２の形状は、樹脂製板部の内面に沿って延びる柱状など任意であってよい。本実施形態のリブ１１，１２は、樹脂製板部の内面に沿って延びる帯板状に形成されている。帯板状とは、リブ１１，１２の板厚方向に直交するリブ１１，１２の幅方向の寸法が小さく、リブ１１，１２の板厚方向及び幅方向に直交するリブ１１，１２の長手方向の寸法が大きい、細長い形状を意味する。本実施形態において、帯板状に形成されたリブ１１，１２の長手方向は、樹脂製板部の内面に沿う方向を意味し、リブ１１，１２の幅方向は、リブ１１，１２が樹脂製板部の内面から突出する方向を意味する。
【００２０】
リブ１１，１２の板厚は、任意であってよいが、例えば樹脂製板部の板厚と同等以下であってよい。リブ１１，１２の板厚は、例えば１．５ｍｍ程度であってよい。リブ１１，１２の板厚は、複数のリブ１１，１２の間で互いに異なっていてもよい。本実施形態におけるリブ１１，１２の板厚は、複数のリブ１１，１２の間で互いに等しい。
【００２１】
リブ１１，１２は、例えば、リブ１１，１２の長手方向や幅方向において、湾曲したり、蛇行したりしてよい。すなわち、リブ１１，１２は、湾曲したり蛇行したりする帯板状に形成されてよい。本実施形態のリブ１１，１２は、その長手方向や幅方向において直線状に延びる平坦な帯板状に形成されている。
【００２２】
リブ１１，１２は、樹脂製板部と同じ材料によって形成されてもよいし、樹脂製板部と異なる材料によって形成されてもよい。
リブ１１，１２は、樹脂製板部と一体に形成されてもよいし、樹脂製板部と別個に形成された上で、接着等の任意の方法で樹脂製板部の内面に固定されてもよい。
【００２３】
リブ１１，１２の長手方向の端部は、樹脂製板部の内面の周縁に到達してもよいし、到達しなくてもよい。リブ１１，１２の長手方向の端部が樹脂製板部の内面の周縁に到達しない場合、リブ１１，１２の長手方向の端部と樹脂製板部の内面の周縁との間隔は、任意であってよいが、例えば短い方がより好ましい。
例えば、樹脂製板部の内面に設けられる全てのリブ１１，１２の長手方向の端部が、樹脂製板部の内面の周縁に到達してもよいし、到達しなくてもよい。また、例えば、樹脂製板部の内面に設けられる複数のリブ１１，１２うち、一部のリブ１１，１２の長手方向の端部が樹脂製板部の内面の周縁に到達し、残りのリブ１１，１２の長手方向の端部が樹脂製板部の内面の周縁に到達しなくてもよい。
【００２４】
複数のリブ１１，１２は、樹脂製板部の内面全体にわたって設けられている。言い換えれば、複数のリブ１１，１２は、樹脂製板部の内面に沿う一方向において樹脂製板部の面の第一端から第二端まで、互いに間隔をあけて配列されている。さらに言い換えれば、複数のリブ１１，１２は、樹脂製板部の内面全体にわたってまんべんなく（一様に又は均等に）配列されている。
ここで、一方向とは、リブ１１，１２の長手方向でなく、複数のリブ１１，１２の配列方向（複数のリブ１１，１２が並べられる方向）を意味する。リブ１１，１２は、例えば樹脂製板部の面の第一端や第二端に形成されてもよいが、本実施形態では樹脂製板部の面の第一端や第二端に形成されていない（例えば図３参照）。リブ１１，１２が樹脂製板部の面の第一端や第二端に形成されることは、例えばリブ１１，１２が樹脂製板部の面の第一端や第二端において樹脂製板部の周縁に沿って形成されることを意味する。また、リブ１１，１２が樹脂製板部の面の第一端や第二端に形成されないことは、例えば、リブ１１，１２の長手方向の両端が樹脂製板部の周縁に到達していても、リブ１１，１２の長手方向の中途部が樹脂製板部の周縁と間隔をあけて位置することを含む。
【００２５】
一方向に配列される複数のリブ１１，１２の長手方向や幅方向は、例えば互いに平行しなくてもよい。本実施形態では、一方向に配列される複数のリブ１１，１２の長手方向及び幅方向の少なくとも一方が、互いに平行している。
複数のリブ１１，１２は、例えば同一の樹脂製板部の内面において一つの方向に配列されてもよいし、例えば同一の樹脂製板部の内面において複数の方向に配列されてよい（例えば後述する第一リブ１１Ａ、第二リブ１１Ｂの配列方向を参照）。
一方向に配列される複数のリブ１１，１２は、一方向において不等間隔で配列されてもよいし、等間隔で配列されてもよい。本明細書のすべての実施形態における「等間隔」は、厳密な等間隔に限らず、概ね等間隔であることも含んでよい。
【００２６】
前述したように、本実施形態では裏板部５及び側板部６が樹脂製板部によって構成されている。このため、複数のリブ１１は、裏板部５の内面５ａ全体にわたって設けられている、すなわち裏板部５の内面５ａ全体にわたってまんべんなく（一様に又は均等に）配列されている。また、複数のリブ１２は、側板部６の内面６ａ全体にわたって設けられている、すなわち側板部６の内面６ａ全体にわたってまんべんなく（一様に又は均等に）配列されている。
以下、裏板部５に設けられる複数のリブ１１（以下、裏板リブ１１と呼ぶ。）と、側板部６に設けられる複数のリブ１２（以下、側板リブ１２と呼ぶ。）と、について各々説明する。
【００２７】
裏板部５の内面５ａに設けられる裏板リブ１１の高さ（裏板リブ１１の幅寸法）は、例えば胴部２の厚さ方向の寸法の半分以下であってよい。例えば、胴部２の厚さ寸法が８０ｍｍ〜１２０ｍｍである場合、裏板リブ１１の高さは、例えば１０ｍｍ〜６０ｍｍであってよい。裏板リブ１１の高さは、複数の裏板リブ１１の間で異なっていてもよいし、同じであってもよい。
【００２８】
複数の裏板リブ１１には、複数の第一リブ１１Ａと、複数の第二リブ１１Ｂと、がある。
複数の第一リブ１１Ａは、裏板部５の内面５ａに沿う第一方向（前述した「一方向」に含まれる方向；Ｘ軸方向）に間隔をあけて配列されている。複数の第一リブ１１Ａは、第一方向において裏板部５の内面５ａの第一端から第二端まで互いに間隔をあけて配列されている。第一方向における裏板部５の内面５ａの第一端、第二端は、図３において、裏板部５の内面５ａの左右方向（Ｘ軸方向）の両端である。複数の第一リブ１１Ａは、第一方向において裏板部５の内面５ａ全体にわたってまんべんなく（一様に又は均等に）配列されている。複数の第一リブ１１Ａがまんべんなく配列されることは、例えば、第一方向において両端に位置する第一リブ１１Ａから第一方向における裏板部５の両端までの距離が、第一方向に隣り合う第一リブ１１Ａ同士の間隔よりも大幅に長くならないことを意味する。
【００２９】
複数の第一リブ１１Ａの長手方向は、互いに平行している。第一方向に配列される複数の第一リブ１１Ａは、等間隔で配列されている。第一方向に配列される複数の第一リブ１１Ａ同士の間隔は、少なくとも第一方向における裏板部５の全長の３分の１よりも小さければよい。本実施形態において、複数の第一リブ１１Ａ同士の間隔は、第一方向における裏板部５の全長の９分の１から１３分の１程度となっている。
第一方向に配列される第一リブ１１Ａの数は、３本以上であってよい。図２，３における第一リブ１１Ａの数は、１３本である。
【００３０】
複数の第二リブ１１Ｂは、裏板部５の内面５ａに沿って第一方向に交差する第二方向（前述した「一方向」に含まれる方向；Ｙ軸方向）に間隔をあけて配列されている。第二方向は、第一方向と異なる方向である。複数の第二リブ１１Ｂは、第二方向において裏板部５の内面５ａの第一端から第二端まで互いに間隔をあけて配列されている。第二方向における裏板部５の内面５ａの第一端、第二端は、図３において、裏板部５の内面５ａの上下方向（Ｙ軸方向）の両端である。複数の第二リブ１１Ｂは、第一リブ１１Ａの場合と同様に、第二方向において裏板部５の内面５ａ全体にわたってまんべんなく（一様に又は均等に）配列されている。
【００３１】
複数の第二リブ１１Ｂの長手方向は、互いに平行している。第二方向に配列される複数の第二リブ１１Ｂは、等間隔で配列されている。第二方向に配列される複数の第二リブ１１Ｂ同士の間隔は、少なくとも第二方向における裏板部５の全長の４分の１よりも小さければよい。本実施形態において、複数の第二リブ１１Ｂ同士の間隔は、第二方向における裏板部５の全長の１０分の１程度となっている。
第二方向に配列される第二リブ１１Ｂの数は、例えば５本であってもよいし、６本以上であってもよい。図２，３における第二リブ１１Ｂの数は、９本である。
【００３２】
複数の第一リブ１１Ａの配列方向（第一方向）と、複数の第二リブ１１Ｂの配列方向（第二方向）とが交差する角度は、任意であってよい。本実施形態では、第一方向と第二方向とが直交している。すなわち、第一リブ１１Ａ及び第二リブ１１Ｂの長手方向は、互いに直交している。第一方向に隣り合う第一リブ１１Ａ同士の間隔は、例えば、第二方向に隣り合う第二リブ１１Ｂ同士の間隔に対して同等以上であってよいが、本実施形態では第二リブ１１Ｂ同士の間隔よりも狭い。
【００３３】
複数の第一リブ１１Ａの配列方向（第一方向）や複数の第二リブ１１Ｂの配列方向（第二方向）は、例えば裏板部５の横方向（Ｘ軸方向）や縦方向（Ｙ軸方向）に対して傾斜してもよい。本実施形態において、複数の第一リブ１１Ａは、裏板部５の横方向に配列されている。すなわち、第一リブ１１Ａは裏板部５の縦方向に延びている。一方、複数の第二リブ１１Ｂは、裏板部５の縦方向に配列されている。すなわち、第二リブ１１Ｂは裏板部５の横方向に延びている。
【００３４】
第一リブ１１Ａや第二リブ１１Ｂの長手方向の端部は、いずれも裏板部５の周縁に到達してよい。本実施形態では、一部の第一リブ１１Ａの長手方向の端部が、裏板部５の周縁に到達していない。一部の第一リブ１１Ａの端部を裏板部５の周縁に到達させない理由は、例えば、第一リブ１１Ａを、胴部２における棹部３との接続部分７や、胴部２におけるストラップピンの取付部分との干渉を回避すること等が挙げられる。
【００３５】
第一リブ１１Ａや第二リブ１１Ｂは、裏板部５の内面５ａにおいて任意の位置に配されてよい。また、裏板部５の内面５ａに配される第一リブ１１Ａや第二リブ１１Ｂの数は任意であってよい。本実施形態において、裏板部５の内面５ａに設けられる一部の第一リブ１１Ａは、木製ギターの裏板に設けられる裏桟に対応する位置に配されている。残りの第一リブ１１Ａは、例えば裏桟に対応する一部の第一リブ１１Ａの間に配される等してよい。すなわち、裏板部５の内面５ａに設けられる第一リブ１１Ａの数は、裏桟の数よりも多い。また、裏板部５の内面５ａに配列される第一リブ１１Ａ同士の間隔は、裏桟同士の間隔よりも短い。
【００３６】
上記のように複数の裏板リブ１１が裏板部５の内面５ａに配列されることで、裏板部５の内面５ａには、複数（図示例では４つ）の裏板リブ１１によって囲まれる領域が複数存在する。裏板リブ１１によって囲まれる複数の領域の形状や大きさ（面積）は、例えば互いに異なっていてもよいが、互いに均等又は概ね同じであることが好ましい。複数の領域の形状や大きさ（面積）が均等であったり概ね同じであったりすることは、複数の領域の形状や大きさが、厳密に互いに同じであることに限らず、互いに近い（多少異なる）ことも含む。図示例において、裏板リブ１１によって囲まれる複数の領域の形状や大きさ（面積）は、互いに同じである。
【００３７】
裏板部５の内面５ａにおいて裏板リブ１１によって囲まれる複数の領域が占める割合は、任意であってよいが、大きい方がより好ましい。例えば、裏板リブ１１によって囲まれる複数の領域は、図３に例示するように、裏板部５の内面５ａ全体にわたって設けられてよい。
裏板部５の内面５ａにおいて裏板リブ１１によって囲まれる複数の領域が占める割合が大きいほど、また、複数の領域の形状や大きさが互いに近いほど、裏板部５における振動の周波数特性の均等化を図ることができる。言い換えれば、裏板部５の内面５ａの複数の領域の間で、振動の周波数特性が異なることを好適に抑制できる。
【００３８】
また、裏板部５の内面５ａにおいて裏板リブ１１によって囲まれる複数の領域の各々の大きさ（面積）は、任意であってよいが、小さい方がより好ましい。裏板部５の内面５ａにおいて裏板リブ１１によって囲まれる複数の領域の各々の大きさを小さくするほど、裏板部５の振動周波数（特に共鳴周波数）を高めたり、裏板部５の共鳴周波数における振幅（音圧）を高めたりして、裏板部５の周波数特性を木製ギターにおける裏板の周波数特性に近づけることができる。
【００３９】
図２に示すように、裏板部５の内面５ａに設けられる一部の裏板リブ１１には、裏板リブ１１の突出方向の先端から窪む凹部１５が形成されている。凹部１５は、例えば全ての裏板リブ１１に形成されてもよい。
凹部１５の形状（凹部１５の形成領域における裏板リブ１１の先端形状）は、例えば矩形状やＶ字状など任意であってよいが、本実施形態では円弧状に形成されている。
【００４０】
凹部１５の大きさ（例えば裏板リブ１１の長手方向における凹部１５の寸法や凹部１５の深さ寸法）や形成位置は、裏板部５における剛性の分布、裏板部５における振動の周波数特性や、胴部２の重量などを考慮して任意に設定されてよい。凹部１５の大きさや形成位置は、例えば、木製ギターの特性に近づくように設定されてよい。凹部１５の深さ寸法は、少なくとも裏板リブの高さ以下であればよい。凹部１５の形成位置における裏板リブ１１の高さは、例えば１ｍｍ程度であってよい。
凹部１５は、例えば裏板リブ１１の長手方向の端部に形成されてもよいが、本実施形態では裏板リブ１１の長手方向の中途部に形成されている。
【００４１】
図２，４に示すように、側板部６の内面６ａに設けられる複数の側板リブ１２は、例えば複数の裏板リブ１１の場合と同様に側板部６の内面６ａにおいて交差するなどして、任意に配列されてよい。本実施形態において、複数の側板リブ１２は、側板部６の長手方向（一方向）に間隔をあけて配列されている。複数の側板リブ１２は、側板部６の長手方向において裏板部５の内面５ａの第一端（接続部分７の第一辺７ａ）から第二端（接続部分７の第二辺７ｂ）まで互いに間隔をあけて配列されている。複数の側板リブ１２は、側板部６の長手方向において、側板部６の内面６ａ全体にわたってまんべんなく（一様に又は均等に）配列されている。側板部６の長手方向に配列される複数の側板リブ１２は、側板部６の長手方向において、等間隔で配列されてもよいが、本実施形態では不等間隔で配列されている。ただし、側板部６の長手方向に配列される複数の側板リブ１２同士の間隔は、概ね同じであることが好ましい。側板部６の長手方向における複数の側板リブ１２同士の間隔は、少なくとも１４分の１よりも小さければよい。本実施形態において、複数の側板リブ１２同士の間隔は、２９分の１程度となっている。
【００４２】
側板部６の長手方向に配列される側板リブ１２の数は、例えば１５本以上であってもよい。側板部６の長手方向に配列される側板リブ１２の数は、例えば２０本以上であることがより好ましい。図２における側板リブ１２の数は、３０本である。具体的に説明すれば、側板部６の内面６ａのうち主に裏板部５の縦方向の一方側（Ｙ軸負方向）に向く領域に配列される側板リブ１１の数は、６本である。また、側板部６の内面６ａのうち主に裏板部５の縦方向の他方側（Ｙ軸正方向）に向く領域に配列される側板リブ１１の数は、８本である。また、側板部６の内面６ａのうち主に裏板部５の横方向の一方側（Ｘ軸負方向）に向く領域に配列される側板リブ１１の数は、８本である。また、側板部６の内面６ａのうち主に裏板部５の横方向の他方側（Ｘ軸正方向）に向く領域に配列される側板リブ１１の数は、８本である。
【００４３】
側板リブ１２の長手方向は、側板部６の内面６ａに沿う任意の方向であってよく、例えば複数の側板リブ１２の間で異なっていてもよい。本実施形態において、側板リブ１２の長手方向は、側板部６の幅方向（胴部２の厚さ方向；Ｚ軸方向）と一致している。すなわち、側板リブ１２の長手方向は、複数の側板リブ１２の間で互いに平行している。
側板部６の内面６ａに対する側板リブ１２の幅方向（側板リブ１２が側板部６の内面６ａから突出する方向）の角度は、任意であってよい。本実施形態における側板リブ１２の幅方向は、裏板部５の縦方向又は横方向に一致する。
【００４４】
裏板部５側に位置する側板リブ１２の長手方向の第一端部（端部）は、例えば、側板部６の幅方向の第一端部に到達して裏板部５の内面５ａに接触してもよいし、裏板部５の内面５ａと間隔をあけて位置してもよい。また、側板リブ１２の第一端部は、例えば裏板リブ１１と間隔をあけて位置してよい。側板リブ１２の第一端部が裏板部５の内面５ａや裏板リブ１１と間隔をあけて位置する場合、この間隔は小さいことがより好ましい。
例えば、側板部６の内面６ａに設けられる全ての側板リブ１２の第一端部が、側板部６の幅方向の第一端部に到達してもよいし、到達しなくてもよい。また、例えば、複数の側板リブ１２のうち一部の側板リブ１２の第一端部が側板部６の幅方向の第一端部に到達し、残りの側板リブ１２の第一端部が側板部６の幅方向の第一端部に到達しなくてもよい。
【００４５】
本実施形態において、側板リブ１２の第一端部は、裏板リブ１１の長手方向の端部と一体に形成されている。すなわち、一つの裏板リブ１１と一つの側板リブ１２とが、Ｌ字状のリブを構成している。また、本実施形態では、一部の裏板リブ１１の長手方向の両端部と、側板リブ１２の第一端部とが、一体に形成されている。すなわち、一部の裏板リブ１１は、二つの側板リブ１２と共に、Ｕ字状のリブを構成している。
【００４６】
例えば、全ての裏板リブ１１の端部が、側板リブ１２の第一端部と一体に形成されてもよいが、これに限ることは無い。例えば図２に示すように、複数の裏板リブ１１のうち一部の裏板リブ１１の端部は、側板リブ１２の第一端部と一体に形成されなくてもよい。言い換えれば、一部の裏板リブ１１の端部に対応する位置に、側板リブ１２が設けられなくてもよい。本実施形態では、図２に示すように、側板部６の内面６ａにおいて第一リブ１１Ａの端部と第二リブ１１Ｂの端部とが互いに近くに位置する場合には、側板リブ１２が、第一リブ１１Ａの端部及び第二リブ１１Ｂの端部の一方に対応する位置に設けられ、他方に対応する位置には設けられない。
また、例えば図２に示すように、全ての側板リブ１２の第一端部が、裏板リブ１１の端部と一体に形成されてもよいが、これに限ることは無い。例えば、複数の側板リブ１２のうち一部の側板リブ１２の第一端部は、裏板リブ１１の端部と一体に形成されなくてもよい。言い換えれば、一部の側板リブ１２の第一端部に対応する位置に、裏板リブ１１の端部が位置しなくてもよい。
【００４７】
本実施形態において、裏板リブ１１の第一リブ１１Ａと一体に形成される第一側板リブ１２Ａは、側板部６の内面６ａから裏板部５の縦方向（Ｙ軸方向）に突出している。また、裏板リブ１１の第二リブ１１Ｂと一体に形成される第二側板リブ１２Ｂは、側板部６の内面６ａから裏板部５の横方向（Ｘ軸方向）に突出している。
すなわち、一体に形成される裏板リブ１１及び側板リブ１２では、側板リブ１２の突出方向（幅方向）が裏板リブ１１の長手方向に一致する。これにより、裏板リブ１１及び側板リブ１２を一体に形成したＬ字状又はＵ字状のリブが、平坦な板状に形成されている。
【００４８】
表板部４側に位置する側板リブ１２の長手方向の第二端部（端部）は、例えば側板部６の幅方向の第二端部に到達して胴部２の内面を構成する表板部４の面４ａ（以下、内面４ａと呼ぶ）に接触してもよい。また、例えば、側板部６の内面６ａに設けられる全ての側板リブ１２の第二端部が、側板部６の幅方向の第二端部に到達してもよいし、到達しなくてもよい。また、例えば、複数の側板リブ１２のうち一部の側板リブ１２の第二端部が側板部６の幅方向の第二端部に到達し、残りの側板リブ１２の第二端部が側板部６の幅方向の第二端部に到達しなくてもよい。本実施形態においては、全ての側板リブ１２の第二端部が、側板部６の幅方向の第二端部と間隔をあけて位置する、すなわち表板部４の内面４ａと間隔をあけて位置する。側板リブ１２の第二端部が表板部４の内面４ａと間隔をあけて位置する場合、この間隔は小さいことがより好ましい。
【００４９】
側板リブ１２の長手方向の寸法（側板リブ１２の長さ）は、図示例のように裏板リブ１１の高さよりも大きいとよい。すなわち、側板リブ１２は、裏板リブ１１の先端よりも上方に突出するように形成されるとよい。
【００５０】
側板リブ１２の高さ（側板リブ１２の幅寸法）は、例えば側板リブ１２の幅方向（突出方向）における表板部４や裏板部５の寸法の半分以下であってよい。また、側板リブ１２の高さは、例えば裏板リブ１１の高さよりも大きくてもよい。ただし、本実施形態では、側板リブ１２が裏板リブ１１と一体に形成されることで裏板部５に接触するため、裏板リブ１１と側板リブ１２の高さが過度に大きい場合には、裏板部５の振動を阻害する可能性がある。このため、側板リブ１２の高さは、裏板リブ１１の高さ以下に設定されるとよい。側板リブ１２の高さは、例えば１０〜２０ｍｍ程度であってよい。本実施形態における側板リブ１２の高さは、裏板リブ１１の高さと同等である。
側板リブ１２の高さは、例えば複数の側板リブ１２の間で異なっていてもよいが、本実施形態では同じである。
【００５１】
側板リブ１２には、例えば裏板リブ１１と同様の凹部１５が形成されてよい。
【００５２】
以上説明したように、本実施形態のギター１によれば、表板部４及び裏板部５と、これらに繋がる側板部６と、を含む胴部２を備え、樹脂製板部によって構成された裏板部５及び側板部６の内面５ａ，６ａに、これらの内面５ａ，６ａに沿って線状に延びる複数のリブ１１，１２が設けられている。すなわち、本実施形態のギター１では、ギター１の胴部２を構成する全ての樹脂製板部に複数のリブ１１，１２を設けている。これにより、胴部２の一部が樹脂製板部によって構成されても、胴部２の周波数特性を改善できる。したがって、低コストで良音質のギター１を提供できる。
【００５３】
また、本実施形態のギター１によれば、複数のリブ１１，１２が樹脂製板部の内面全体にわたって設けられている。また、複数のリブ１１，１２が、樹脂製板部の内面に沿う一方向において樹脂製板部の内面の第一端から第二端まで、互いに間隔をあけて配列されている。これにより、胴部２の周波数特性を改善できる。
【００５４】
また、本実施形態のギター１によれば、樹脂製板部からなる裏板部５の内面５ａには、裏板部５の内面５ａに沿って第一方向に配列された複数の第一リブ１１Ａと、裏板部５の内面５ａに沿って第一方向に交差する第二方向に配列された複数の第二リブ１１Ｂと、が設けられている。これにより、胴部２の周波数特性を改善できる。
上記した効果は、樹脂製板部からなる側板部６の内面６ａに設けた側板リブ１２を、裏板部５に設けられた第一リブ１１Ａ及び第二リブ１１Ｂと同様に配列した場合であっても、同様に奏し得る。
【００５５】
また、本実施形態のギター１によれば、裏板部５の内面５ａに設けられた複数の第一リブ１１Ａの配列方向（第一方向）と、複数の第二リブ１１Ｂの配列方向（第二方向）とが直交し、第一リブ１１Ａ同士の間隔が、第二リブ１１Ｂ同士の間隔よりも狭い。
このため、仮に、裏板部５をなす樹脂製板部（裏板リブ１１を設けていない樹脂製板部）の曲げ剛性が、等方性を有していたり、意図しない異方性を有していたりしても、裏板部５の曲げ剛性に所望の異方性を持たせることができる。具体的には、第一方向における曲げ剛性を第二方向における曲げ剛性よりも小さくすることができる。ここで、「第一方向における曲げ剛性」は、第二方向を軸とした裏板部５の撓み変形のし難さを意味する。また、「第二方向における曲げ剛性」は、第一方向を軸とした裏板部５の撓み変形のし難さを意味する。
【００５６】
これにより、裏板部５の曲げ剛性の特性を、木目によって曲げ剛性に異方性がある木製板部の特性に近づけることができる。したがって、裏板部５の周波数特性を木製ギターにおける裏板の周波数特性にさらに近づけて、胴部２の周波数特性をさらに改善することができる。
特に、本実施形態では、配列の間隔が比較的狭い複数の第一リブ１１Ａが裏板部５の横方向に配列され、配列の間隔が比較的広い複数の第二リブ１１Ｂが裏板部５の縦方向に配列されている。このため、裏板部５は、その横方向（第一方向）における曲げ剛性が縦方向（第二方向）における曲げ剛性よりも小さい特性を有する。この裏板部５の特性は、木目が裏板の縦方向に延びる木製ギターの裏板の特性と同様である。このため、胴部２の周波数特性を特に改善することができる。
上記した効果は、樹脂製板部からなる側板部６の内面６ａに設けた複数の側板リブ１２を、裏板部５に設けられた第一リブ１１Ａ及び第二リブ１１Ｂと同様に配列した場合であっても、同様に奏し得る。
【００５７】
また、本実施形態のギター１によれば、裏板部５の内面５ａに設けられた裏板リブ１１の長手方向の端部と、側板部６の内面６ａに設けられた側板リブ１２の長手方向の端部とが、一体に形成されている。このため、裏板リブ１１の高さ寸法を低く抑えながら、胴部２の周波数特性を改善することができる。すなわち、胴部２の軽量化を図りながら、胴部２の周波数特性を改善することができる。
リブ１１，１２を設けた裏板部５や側板部６の重量は、木製ギターの裏板や側板と比較して重くなりやすいため、また、裏板部５や側板部６が重くなることで胴部２の周波数特性が木製ギターの胴部２と異なってしまう可能性があるため、胴部２の軽量化を図ることは有効である。
【００５８】
また、本実施形態のギター１によれば、少なくとも一部の裏板リブ１１に凹部１５が形成されている。これにより、裏板部５における剛性の分布や裏板部５の周波数特性を木製ギターの裏板により近づけることが可能となる。したがって、胴部２の周波数特性を改善することができる。また、裏板リブ１１に凹部１５を形成することで、胴部２の軽量化を図ることもできる。この効果は、一部の側板リブ１２に上記と同様の凹部を形成した場合であっても、同様に奏し得る。
なお、胴部２の軽量化を図るためには、リブ１１，１２の板厚を薄くすることも有効である。
【００５９】
また、本実施形態のギター１によれば、裏板部５側に位置する側板リブ１２の長手方向の第一端部が、裏板部５の内面５ａに接触したり、裏板リブ５の長手方向の端部と一体に形成されたりしている。一方、表板部４側に位置する側板リブ１２の長手方向の第二端部は、表板部４の内面４ａと間隔をあけて位置する。これにより、側板リブ１２が表板部４及び裏板部５の両方に接触することで、表板部４及び裏板部５が互いの振動を妨げたり、表板部４と裏板部５とが同期して振動してしまうことを防止できる。すなわち、表板部４及び裏板部５は、木製ギターの表板及び裏板の場合と同様に、互いに独立して振動することができる。したがって、胴部２の周波数特性を木製ギターにおける胴部の周波数特性に近づけることができる。
この効果は、側板リブ１２が、表板部４の内面４ａに接触し、かつ、裏板部５の内面５や裏板リブ５と間隔をあけて位置する場合や、側板リブ１２が、表板部４の内面４ａ、裏板部５の内面５及び裏板リブ５と間隔をあけて位置する場合でも、同様に奏する。
【００６０】
次に、樹脂製板部（裏板部５、側板部６）に複数のリブ１１，１２を設けることで、胴部２の周波数特性を改善できる点ついて、図５，６を参照して説明する。
【００６１】
図５は、胴部の周波数特性について、「木製ギター」と「比較例」とを比較した一例を示すグラフである。「木製ギター」は、表板、裏板及び側板がいずれも木製板部からなる胴部である。「比較例」は、裏板部５及び側板部６が樹脂製板部によって構成され、かつ、表板部４が木製板部によって構成されるが、裏板部５及び側板部６にリブ１１，１２が設けられていない胴部である。「比較例」の胴部の外観形状や大きさは、「木製ギター」と同じである。
【００６２】
図５に示すように、胴部の周波数特性は、「木製ギター」と「比較例」とで大きく異なる。具体的に、「木製ギター」の胴部では、５０Ｈｚ〜２５０Ｈｚの範囲で、二つの共鳴周波数（一次共鳴周波数ＦＷ１、二次共鳴周波数ＦＷ２）が現れる。これに対し、「比較例」の胴部では、５０Ｈｚ〜２５０Ｈｚの範囲で、三つの共鳴周波数（一次共鳴周波数ＦＣ１、二次共鳴周波数ＦＣ２、三次共鳴周波数ＦＣ３）が現れる。
また、「比較例」における一次共鳴周波数ＦＣ１、二次共鳴周波数ＦＣ２が、それぞれ「木製ギター」における一次共鳴周波数ＦＷ１、二次共鳴周波数ＦＷ２よりも大幅に低い。さらに、「比較例」における三次共鳴周波数ＦＣ３が、「木製ギター」における二次共鳴周波数ＦＷ２とほぼ同じ周波数となっている。さらに、「比較例」における一次共鳴周波数ＦＣ１、二次共鳴周波数ＦＣ２の音圧が、「木製ギター」における一次共鳴周波数ＦＷ１、二次共鳴周波数ＦＷ２の音圧よりも低い。
【００６３】
図６は、胴部の周波数特性について、「木製ギター」と「実施例」とを比較した一例を示すグラフである。「実施例」は、樹脂製板部からなる裏板部５及び側板部６にリブ１１，１２を設けた図１−４に示す本実施形態の胴部２である。「実施例」の胴部２の外観形状や大きさは、「木製ギター」と同じである。
図６に示すように、「実施例」の周波数特性は、「比較例」と比較して、「木製ギター」の周波数特性に近づいている。具体的に、「実施例」の胴部２では、５０Ｈｚ〜２５０Ｈｚの範囲で、「木製ギター」の場合と同様に、二つの共鳴周波数（一次共鳴周波数ＦＥ１、二次共鳴周波数ＦＥ２）が現れる。
【００６４】
また、「実施例」における一次共鳴周波数ＦＥ１、二次共鳴周波数ＦＥ２は、「比較例」と比較して、それぞれ「木製ギター」における一次共鳴周波数ＦＷ１、二次共鳴周波数ＦＷ２に近い値となっている。さらに、「実施例」における一次共鳴周波数ＦＥ１、二次共鳴周波数ＦＥ２の音圧と、「木製ギター」における一次共鳴周波数ＦＷ１、二次共鳴周波数ＦＷ２の音圧との差分が、それぞれ「比較例」と比較して小さくなっている。
以上のことから、本実施形態のギター１では、樹脂製板部（裏板部５、側板部６）に複数のリブ１１，１２を設けることで、明らかに胴部２の周波数特性を改善できる。
【００６５】
第一実施形態において、裏板リブ１１に凹部１５を形成する態様は、図２に例示したものに限らず、例えば図７に示したものであってよい。図７に例示した構成では、図２に例示した構成と比較して、複数の裏板リブ１１の配列は同じであるが、凹部１５の形状や大きさが異なっている。また、図７に例示した構成では、凹部１５の形成によって、一部の裏板リブ１１がその長手方向に複数に分断されたり、一部の裏板リブ１１の長手方向の寸法が短くなったりしている。裏板リブ１１が凹部１５によって分断されたり短くなったりした構成は、図２に例示した構成と同様に、複数の裏板リブ１１を裏板部５の内面５ａ全体にわたって設けた構成、すなわち複数の裏板リブ１１を裏板部５の内面５ａ全体にわたってまんべんなく（一様に又は均等に）配列した構成に含まれる。
裏板リブ１１が凹部１５によって分断されたり短くなったりした構成では、裏板リブ１１を含む裏板部５の軽量化、すなわち胴部の軽量化をさらに図ることができる。
【００６６】
また、図７に例示した構成では、図８に示すように、胴部の周波数特性をさらに改善することができる。図８は、胴部の周波数特性について、「木製ギター」と「変形例」とを比較した一例を示すグラフである。「変形例」は、図７に例示した構成を含む胴部である。
図８に示すように、「変形例」の周波数特性は、図６のグラフに示した「実施例」と比較して、「木製ギター」の周波数特性にさらに近づいている。具体的に、「変形例」の胴部では、５０Ｈｚ〜２５０Ｈｚの範囲に現れる一次共鳴周波数ＦＭ１、二次共鳴周波数ＦＭ２が、「実施例」と比較して、それぞれ「木製ギター」の胴部における一次共鳴周波数ＦＷ１、二次共鳴周波数ＦＷ２にさらに近い値となっている。さらに、「変形例」における一次共鳴周波数ＦＭ１、二次共鳴周波数ＦＭ２の音圧と、「木製ギター」における一次共鳴周波数ＦＷ１、二次共鳴周波数ＦＷ２の音圧との差分が、それぞれ「実施例」と比較してさらに小さくなっている。
以上のことから、図７に例示した構成を含むギターでは、明らかに胴部の周波数特性をさらに改善できる。
【００６７】
第一実施形態において、側板リブ１２の高さは、図２，４，７に例示したように、側板リブ１２の長手方向において一定（あるいはほぼ一定）であってもよいが、これに限ることは無い。側板リブ１２の高さは、例えば図９，１０に示すように、側板リブ１２の長手方向（Ｚ軸方向）において、裏板リブ１１（裏板部５）から離れるにしたがって小さくなってもよい。側板リブ１２の板厚方向から見た側板リブ１２の平面視形状は、図示例のような三角形状に限らず、任意であってよい。側板リブ１２の高さ方向の先端は、図示例のように直線状に形成されてよいし、例えば曲線状に形成されてもよい。
【００６８】
また、第一実施形態において、側板リブ１２の長手方向の寸法（側板リブ１２の長さ）と側板リブ１２の高さとの比率は、任意であってよい。図９に例示するように、側板リブ１２の長さが比較的短い場合には、側板リブ１２の長さに対する側板リブ１２の高さの比率は大きくてよい。また、図１０に例示するように、側板リブ１２の長さが比較的長い場合には、側板リブ１２の長さに対する側板リブ１２の高さの比率は小さくてよい。
【００６９】
また、図９に例示するように、裏板リブ１１の高さが比較的大きい（例えば３０ｍｍである）場合、裏板リブ１１の先端からＺ軸方向に延びる側板リブ１２の長さは短くして（例えば４０ｍｍとして）よい。一方、図１０に例示するように、裏板リブ１１の高さが比較的小さい（例えば１２ｍｍである）場合、裏板リブ１１の先端からＺ軸方向に延びる側板リブ１２の長さは長くして（例えば８０ｍｍとして）よい。
【００７０】
〔第二実施形態〕
次に、図１１，１２を参照して本発明の第二実施形態について説明する。本実施形態では、主に第一実施形態との相違点を説明する。
【００７１】
図１１，１２に示すように、本実施形態のギターは、第一実施形態のギター１（図１，２参照）と同様に、表板部（不図示）、裏板部１０５及び側板部１０６を含む胴部１０２を備える。表板部や裏板部１０５、側板部１０６の各形状や大きさは、第一実施形態と同様である。また、本実施形態の胴部１０２では、第一実施形態と同様に、裏板部１０５の内面１０５ａと側板部１０６の内面１０６ａとが、これらの境界部分において不連続に繋がっている。また、表板部の内面と側板部１０６の内面１０６ａとは、これらの境界部分において不連続に繋がっている。
ただし、本実施形態の胴部１０２では、裏板部１０５が第一実施形態と同様の樹脂製板部によって構成され、表板部及び側板部１０６が木製板部によって構成されている。表板部や側板部１０６は、例えば木製ギターの表板や側板と同様に構成されてよい。
【００７２】
本実施形態において、複数のリブ１１１は、胴部１０２のうち樹脂製板部からなる裏板部１０５の内面１０５ａのみに設けられている。裏板部１０５の内面１０５ａに設けられるリブ１１１（裏板リブ１１１）の形状は、第一実施形態と同様の帯板状である。裏板リブ１１１の板厚は、例えば第一実施形態の裏板リブ１１１の板厚と同等であってもよいが、本実施形態では第一実施形態の裏板リブ１１１の板厚よりも大きい。裏板リブ１１１の長手方向の端部は、裏板部１０５の内面１０５ａの周縁や側板部１０６の内面１０６ａに到達してもよいが、本実施形態では到達しない。すなわち、裏板リブ１１１の長手方向の両端部は、側板部１０６の内面１０６ａと間隔をあけて位置する。
例えば、裏板部１０５の内面１０５ａに設けられる全ての裏板リブ１１１の長手方向の端部が、裏板部１０５の内面１０５ａの周縁や側板部１０６の内面１０６ａに到達してもよい。また、例えば、複数の裏板リブ１１１のうち一部の裏板リブ１１１の端部が裏板部１０５の内面１０５ａの周縁や側板部１０６の内面１０６ａに到達し、残りの裏板リブ１１１の端部が裏板部１０５の内面１０５ａの周縁や側板部１０６の内面１０６ａに到達しなくてもよい。本実施形態では、全ての裏板リブ１１１の長手方向の端部が、裏板部１０５の内面１０５ａの周縁や側板部１０６の内面１０６ａに到達しない。
【００７３】
複数の裏板リブ１１１は、第一実施形態と同様に、裏板部１０５の内面１０５ａ全体にわたって設けられている。言い換えれば、複数の裏板リブ１１１は、裏板部１０５の内面１０５ａに沿う一方向において裏板部１０５の面の第一端から第二端まで、互いに間隔をあけて配列されている。さらに言い換えれば、複数の裏板リブ１１１は、裏板部１０５の内面１０５ａ全体にわたってまんべんなく（一様に又は均等に）配列されている。
【００７４】
具体的に、複数の裏板リブ１１１には、複数の第一リブ１１１Ａと、複数の第二リブ１１１Ｂとがある。
複数の第一リブ１１１Ａは、裏板部１０５の内面１０５ａに沿う第一方向（一方向）に間隔をあけて配列されている。複数の第一リブ１１１Ａは、第一実施形態と同様に、第一方向において裏板部１０５の内面１０５ａ全体にわたってまんべんなく（一様に又は均等に）配列されている。複数の第一リブ１１１Ａの長手方向は、互いに平行している。第一方向に配列される複数の第一リブ１１１Ａは、等間隔で配列されている。第一方向に配列される複数の第一リブ１１１Ａ同士の間隔は、少なくとも第一方向における裏板部５の全長の３分の１よりも小さければよい。本実施形態において、複数の第一リブ１１１Ａ同士の間隔は、第一方向における裏板部５の全長の４分の１程度となっている。
第一方向に配列される第一リブ１１１Ａの数は、例えば３本以上であってよい。図示例における第一リブ１１１Ａの数は、３本である。
【００７５】
複数の第二リブ１１１Ｂは、裏板部１０５の内面１０５ａに沿って第一方向に交差する第二方向（一方向）に間隔をあけて配列されている。第二方向は、第一方向と異なる方向である。複数の第二リブ１１１Ｂは、第一リブ１１１Ａの場合と同様に、第二方向において、裏板部１０５の内面１０５ａ全体にわたってまんべんなく（一様に又は均等に）配列されている。複数の第二リブ１１１Ｂの長手方向は、互いに平行している。第二方向に配列される複数の第二リブ１１１Ｂは、等間隔で配列されている。第二方向に配列される複数の第二リブ１１１Ｂ同士の間隔は、少なくとも第二方向における裏板部５の全長の４分の１よりも小さければよい。本実施形態において、複数の第二リブ１１１Ｂ同士の間隔は７分の１程度となっている。
第二方向に配列される第二リブ１１１Ｂの数は、例えば５本であってもよいし、６本以上であってもよい。図示例における第二リブ１１Ｂの数は、６本である。
【００７６】
本実施形態では、複数の第一リブ１１１Ａの配列方向（第一方向）と、複数の第二リブ１１１Ｂの配列方向（第二方向）とが直交している。すなわち、第一リブ１１１Ａ及び第二リブ１１１Ｂの長手方向は、互いに直交している。第一方向に隣り合う第一リブ１１１Ａ同士の間隔は、例えば、第一実施形態のように第二方向に隣り合う第二リブ１１１Ｂ同士の間隔と異なっていてよいが、本実施形態では第二リブ１１１Ｂ同士の間隔と同等である。
本実施形態において、複数の第一リブ１１１Ａは、裏板部１０５の横方向（Ｘ軸方向）に配列されている。すなわち、第一リブ１１１Ａは裏板部１０５の縦方向（Ｙ軸方向）に延びている。また、複数の第二リブ１１１Ｂは、裏板部１０５の縦方向に配列されている。すなわち、第二リブ１１１Ｂは裏板部１０５の横方向に延びている。
【００７７】
上記のように複数の裏板リブ１１１が裏板部１０５の内面１０５ａに配列されることで、裏板部１０５の内面１０５ａには、複数（図示例では４つ）の裏板リブ１１によって囲まれる領域が複数存在する。裏板リブ１１によって囲まれる複数の領域の形状や大きさ（面積）は、例えば互いに異なっていてもよいが、互いに均等又は概ね同じであることが好ましい。図示例において、裏板リブ１１によって囲まれる複数の領域の形状や大きさ（面積）は、互いに同じである。
【００７８】
裏板リブ１１１（第一リブ１１１Ａ、第二リブ１１１Ｂ）には、第一実施形態と同様に、裏板リブ１１１の突出方向の先端から窪む凹部１１５が形成されている。凹部１１５は、例えば一部の裏板リブ１１１に形成され、残部の裏板リブ１１１に形成されなくてもよい。
凹部１１５の形状（凹部１１５の形成領域における裏板リブ１１１の先端形状）は、例えば矩形状やＶ字状、円弧状など任意であってよい。凹部１１５の大きさ（例えば裏板リブ１１１の長手方向における凹部１１５の寸法や凹部１１５の深さ寸法）や形成位置は、裏板部１０５における剛性の分布、裏板部１０５における振動の周波数特性や、胴部１０２の重量などを考慮して、任意に設定されてよい。本実施形態において、凹部１１５は、裏板リブ１１１の長手方向の端部や、裏板リブ１１１の長手方向の中途部に形成されている。
【００７９】
本実施形態によれば、第一実施形態と同様の効果を奏する。
【００８０】
〔第三実施形態〕
次に、図１３を参照して本発明の第三実施形態について説明する。本実施形態では、主に第一、第二実施形態との相違点を説明する。
【００８１】
本実施形態のギターは、第一実施形態のギター１（図１，２参照）と同様に、表板部、裏板部（不図示）及び側板部（不図示）と、を含む胴部を備える。表板部や裏板部、側板部の各形状や大きさは、第一実施形態と同様である。
ただし、本実施形態の胴部は、図１３に示す表板部２０４が第一実施形態と同様の樹脂製板部によって構成されている。裏板部や側板部は、樹脂製板部によって構成されてもよいし、木製板部によって構成されてもよい。裏板部や側板部が樹脂製板部によって構成される場合、裏板部や側板部の全ての内面には第一、第二実施形態と同様のリブが設けられる。また、表板部２０４をなす樹脂材料と裏板部や側板部をなす樹脂材料とは、互いに同じあってもよいし、互いに異なってもよい。また、側板部が樹脂製板部によって構成される場合、側板部と表板部２０４とが繋がることは、側板部と表板部２０４とが一体に固定されることを意味してもよいし、側板部と表板部２０４とが一体に成形されることを意味してもよい。
裏板部や側板部が木製板部によって構成される場合、裏板部や側板部は例えば木製ギターの裏板や側板と同様に構成されてよい。
【００８２】
図１３に示すように、樹脂製板部からなる表板部２０４のうち胴部の内面を構成する全ての面２０４ａ（以下、内面２０４ａと呼ぶ。）には、複数のリブ２１３（以下、表板リブ２１３と呼ぶ。）が設けられている。
表板リブ２１３の形状は、少なくとも表板部２０４の内面２０４ａに沿って線状に延びる形状であれば任意であってよい。本実施形態の表板リブ２１３の形状は、第一実施形態と同様の帯板状である。表板リブ２１３の板厚は、例えば第一、第二実施形態の裏板リブ１１の板厚と同等であってもよいし、異なってもよい。表板リブ２１３の長手方向の端部は、表板部２０４の内面２０４ａの周縁に到達しなくてもよいが、本実施形態では到達する。
例えば、表板部２０４の内面２０４ａに設けられる全ての表板リブ２１３の長手方向の端部が、表板部２０４の内面２０４ａの周縁に到達しなくてもよい。また、例えば、複数の表板リブ２１３のうち一部の表板リブ２１３の端部が表板部２０４の内面２０４ａの周縁に到達し、残りの表板リブ２１３の端部が表板部２０４の内面２０４ａの周縁に到達しなくてもよい。本実施形態では、全ての表板リブ２１３の長手方向の端部が、表板部２０４の内面２０４ａの周縁に到達する。
【００８３】
複数の表板リブ２１３は、表板部２０４の内面２０４ａ全体にわたって設けられている。言い換えれば、複数の表板リブ２１３は、表板部２０４の内面２０４ａに沿う一方向において表板部２０４の面の第一端から第二端まで、互いに間隔をあけて配列されている。さらに言い換えれば、複数の表板リブ２１３は、表板部２０４の内面２０４ａ全体にわたってまんべんなく（一様に又は均等に）配列されている。
【００８４】
具体的に、複数の表板リブ２１３には、複数の第一リブ２１３Ａと、複数の第二リブ２１３Ｂとがある。
複数の第一リブ２１３Ａは、表板部２０４の内面２０４ａに沿う第一方向（一方向）に間隔をあけて配列されている。複数の第一リブ２１３Ａは、第一、第二実施形態の裏板リブ１１，１１１の場合と同様に、第一方向において表板部２０４の内面２０４ａ全体にわたってまんべんなく（一様に又は均等に）配列されている。複数の第一リブ２１３Ａの長手方向は、例えば互いに平行しなくてもよいが、本実施形態では互いに平行している。第一方向に配列される複数の第一リブ２１３Ａは、例えば不等間隔で配列されてもよいが、本実施形態では等間隔で配列されている。第一方向に配列される複数の第一リブ２１３Ａ同士の間隔は、少なくとも第一方向における表板部５の全長の３分の１よりも小さければよい。本実施形態において、複数の第一リブ２１３Ａ同士の間隔は、第一方向における表板部５の全長の４分の１から１７分の１程度となっている。
【００８５】
複数の第二リブ２１３Ｂは、表板部２０４の内面２０４ａに沿って第一方向に交差する第二方向（一方向）に間隔をあけて配列されている。第二方向は、第一方向と異なる方向である。複数の第二リブ２１３Ｂは、第一リブ２１３Ａの場合と同様に、第二方向において表板部２０４の内面２０４ａ全体にわたってまんべんなく（一様に又は均等に）配列されている。複数の第二リブ２１３Ｂの長手方向は、例えば互いに平行しなくてもよいが、本実施形態では互いに平行している。第二方向に配列される複数の第二リブ２１３Ｂは、例えば不等間隔で配列されてもよいが、本実施形態では等間隔で配列されている。第二方向に配列される複数の第二リブ２１３Ｂ同士の間隔は、少なくとも第二方向における表板部５の全長の３分の１よりも小さければよい。本実施形態において、複数の第二リブ２１３Ｂ同士の間隔は、第一リブ２１３Ａの場合と同様に、第二方向における表板部５の全長の４分の１から１７分の１程度となっている。
【００８６】
本実施形態では、複数の第一リブ２１３Ａの配列方向（第一方向）と、複数の第二リブ２１３Ｂの配列方向（第二方向）とが交差する角度は、任意であってよい。本実施形態では第一方向と第二方向とが直交している。すなわち、第一リブ２１３Ａ及び第二リブ２１３Ｂの長手方向は、互いに直交している。第一方向に隣り合う第一リブ２１３Ａ同士の間隔は、例えば、第一実施形態のように第二方向に隣り合う第二リブ２１３Ｂ同士の間隔と異なっていてよいが、本実施形態では第二リブ２１３Ｂ同士の間隔と同等である。
【００８７】
複数の第一リブ２１３Ａの配列方向（第一方向）や複数の第二リブ２１３Ｂの配列方向（第二方向）は、例えば第一、第二実施形態と同様に、表板部２０４の横方向（Ｘ軸方向）や縦方向（Ｙ軸方向）であってよい。
本実施形態において、複数の第一リブ２１３Ａの配列方向（第一方向）は、表板部２０４の内面２０４ａに沿って表板部２０４の横方向及び縦方向に対して傾斜する方向（第一傾斜方向ＩＤ１）である。一方、複数の第二リブ２１３Ｂの配列方向（第二方向）は、表板部２０４の内面２０４ａに沿って第一傾斜方向ＩＤ１に対して直交する方向（第二傾斜方向ＩＤ２）である。図示例では、第一傾斜方向ＩＤ１や第二傾斜方向ＩＤ２が、表板部２０４の横方向及び縦方向に対して４５度で傾斜しているが、これに限ることは無い。第一リブ２１３Ａや第二リブ２１３Ｂの長手方向は、例えば木製ギターの表板に設けられる響棒の長手方向と一致してもよい。また、一部の第一リブ２１３Ａや第二リブ２１３Ｂは、例えば木製ギターの響棒に対応する位置に配されてよい。
【００８８】
複数の表板リブ２１３は、表板部２０４に形成された響孔２１０（サウンドホール）を避けるように設けられている。具体的には、一部の表板リブ２１３が、表板部２０４の内面２０４ａのうち響孔２１０に対応する領域において分断されるように形成されている。
【００８９】
上記のように複数の表板リブ２１３が表板部２０４の内面２０４ａに配列されることで、表板部２０４の内面２０４ａには、複数（図示例では４つ）の表板リブ２１３によって囲まれる領域が複数存在する。表板リブ２１３によって囲まれる複数の領域の形状や大きさ（面積）は、例えば互いに異なっていてもよいが、互いに均等又は概ね同じであることが好ましい。図示例において、表板リブ２１３によって囲まれる複数の領域の形状や大きさ（面積）は、互いに同じである。
【００９０】
表板部２０４の内面２０４ａにおいて表板リブ２１３によって囲まれる複数の領域が占める割合は、任意であってよいが、大きい方がより好ましい。例えば、表板リブ２１３によって囲まれる複数の領域は、図１３に例示するように、表板部２０４の内面２０４ａ全体にわたって設けられてよい。
表板部２０４の内面２０４ａにおいて表板リブ２１３によって囲まれる複数の領域が占める割合が大きいほど、また、複数の領域の形状や大きさが互いに近いほど、表板部２０４における振動の周波数特性の均等化を図ることができる。言い換えれば、表板部２０４の内面２０４ａの複数の領域の間で、振動の周波数特性が異なることを好適に抑制できる。
【００９１】
また、表板部２０４の内面２０４ａにおいて表板リブ２１３によって囲まれる複数の領域の各々の大きさ（面積）は、任意であってよいが、小さい方がより好ましい。表板部２０４の内面２０４ａにおいて表板リブ２１３によって囲まれる複数の領域の各々の大きさを小さくするほど、表板部２０４の振動周波数（特に共鳴周波数）を高めたり、表板部２０４の共鳴周波数における振幅（音圧）を高めたりして、表板部２０４の周波数特性を木製ギターにおける表板の周波数特性に近づけることができる。
【００９２】
表板リブ２１３には、例えば第一、第二実施形態と同様の凹部が形成されてよい。
【００９３】
本実施形態の胴部では、例えば第一、第二実施形態と同様に、裏板部の内面と側板部の内面とが、これらの境界部分において不連続に繋がっていてもよいが、これに限ることは無い。本実施形態の胴部では、例えば裏板部の内面と側板部の内面とが、これらの境界部分において連続的に繋がってもよい。すなわち、裏板部の内面と側板部の内面とは、例えば裏板部と側板部との境界部分が湾曲した面に形成される等して、湾曲面を含む単一の面に形成されてもよい。
また、本実施形態の胴部では、例えば第一、第二実施形態と同様に、表板部２０４の内面２０４ａと側板部の内面とが、これらの境界部分において不連続に繋がっていてもよいが、これに限ることは無い。本実施形態の胴部では、例えば表板部２０４の内面２０４ａと側板部の内面とが、これらの境界部分において連続的に繋がってもよい。
【００９４】
本実施形態によれば、第一実施形態と同様の効果を奏する。すなわち、樹脂製板部からなる表板部２０４を含む胴部の周波数特性を改善することができ、その結果として、低コストで良音質のギターを提供できる。
【００９５】
第三実施形態において、表板部２０４及び側板部が樹脂製板部によって構成される場合には、例えば第一実施形態の場合と同様に、表板リブ２１３の長手方向の端部と、側板リブの長手方向の端部（第二端部）とが一体に形成されてよい。この場合、裏板部側に位置する側板リブの長手方向の端部（第一端部）は、例えば、裏板部の内面や裏板リブに接触又は接続されてもよいが、裏板部の内面や裏板リブと間隔をあけて位置する方がより好ましい。側板リブの第一端部が裏板部の内面や裏板リブと間隔をあけて位置する場合、表板部２０４及び裏板部は、木製ギターの表板及び裏板の場合と同様に、互いに独立して振動することができる。したがって、胴部の周波数特性を木製ギターにおける胴部の周波数特性に近づけることができる。
【００９６】
以上、本発明について詳細に説明したが、本発明は上記実施形態に限定されるものではなく、本発明の趣旨を逸脱しない範囲において種々の変更を加えることが可能である。
【００９７】
本発明は、アコースティックギターに限らず、少なくとも表板部、裏板部及び側板部を含む胴部を備える各種楽器に適用可能である。すなわち、本発明の楽器は、例えばヴァイオリン、ウクレレ、チェロ、カホンなどであってもよい。
【００９８】
本発明の楽器では、表板部、裏板部及び側板部の少なくとも一つが、樹脂製板部によって構成され、表板部、裏板部及び側板部の残りが木製板部などの別の材料によって構成されてよい。
例えば、表板部及び裏板部が樹脂製板部によって構成され、側板部が木製板部などの別の材料によって構成されてよい。この場合、表板部、裏板部の全ての内面に、当該内面に沿って線状に延びるリブが設けられる。表板部をなす樹脂材料と裏板部をなす樹脂材料とは、互いに同じあってもよいし、互いに異なってもよい。
また、例えば、側板部のみが樹脂製板部によって構成され、表板部及び裏板部が木製板部などの別の材料によって構成されてもよい。この場合、側板部の全ての内面に、当該内面に沿って線状に延びる複数のリブが設けられる。
【００９９】
また、例えば、表板部、裏板部及び側板部が、全て樹脂製板部によって構成されてもよい。すなわち、胴部全体が樹脂製板部によって構成されてもよい。この場合、胴部の全ての内面に、当該内面に沿って線状に延びる複数のリブが設けられる。樹脂製板部の樹脂材料は、表板部、裏板部、側板部の間で、互いに同じあってもよいし、互いに異なってもよい。また、表板部、裏板部及び側板部は、例えば別個に成形された上で接着等の任意の手法によって一体に固定されてよい。また、例えば、表板部及び裏板部のうち一方の板部と側板部とが一体に成形され、表板部及び裏板部のうち他方の板部と側板部とが、接着等の任意の手法によって一体に固定されてよい。
また、胴部全体が樹脂製板部によって構成される場合、胴部は、例えば、胴部をその横方向や縦方向、厚さ方向などの任意の方向において分割した二つの分割構成体を各々成形した上で、これら二つの分割構成体を接着等によって一体に固定することで、構成されてもよい。
【符号の説明】
【０１００】
１…ギター（楽器）、２…胴部、３…棹部、４…表板部、４ａ…内面、５…裏板部、５ａ…内面、６…側板部、６ａ…内面、１１…裏板リブ（リブ）、１１Ａ…第一リブ、１１Ｂ…第二リブ、１２…側板リブ（リブ）、１２Ａ…第一側板リブ、１２Ｂ…第二側板リブ、１５…凹部、１０２…胴部、１０５…裏板部、１０５ａ…内面、１０６…側板部、１０６ａ…内面、１１１…裏板リブ（リブ）、１１１Ａ…第一リブ、１１１Ｂ…第二リブ、１１５…凹部、２０４…表板部、２０４ａ…内面、２１０…響孔、２１３…表板リブ（リブ）、２１３Ａ…第一リブ、２１３Ｂ…第二リブ
【図１】
2019086546.tif 000003
【図２】
2019086546.tif 000004
【図３】
2019086546.tif 000005
【図４】
2019086546.tif 000006
【図５】
2019086546.tif 000007
【図６】
2019086546.tif 000008
【図７】
2019086546.tif 000009
【図８】
2019086546.tif 000010
【図９】
2019086546.tif 000011
【図１０】
2019086546.tif 000012
【図１１】
2019086546.tif 000013
【図１２】
2019086546.tif 000014
【図１３】
2019086546.tif 000015